(57)【要約】【課題】  充電器の表示部の視認性を容易に向上させることが可能な技術を提供する。【解決手段】  バッテリパックを充電する充電器は、第１ケース及び第２ケースを有する本体ケースと、第１ケースに取付けられているメイン基板と、第１ケースに取付けられているフレームと、フレームに取付けられており、メイン基板に電気的に接続されているＬＥＤ基板と、第２ケースに設けられており、ＬＥＤ基板に対応する位置に設けられている表示部と、を備える。【選択図】図８
2020089221.tif 000002
【特許請求の範囲】
【請求項１】
バッテリパックを充電する充電器であって、
第１ケース及び第２ケースを有する本体ケースと、
前記第１ケースに取付けられているメイン基板と、
前記第１ケースに取付けられているフレームと、
前記フレームに取付けられており、前記メイン基板に電気的に接続されているＬＥＤ基板と、
前記第２ケースに設けられており、前記ＬＥＤ基板に対応する位置に設けられている表示部と、
を備える充電器。
【請求項２】
前記充電器は、さらに、
前記メイン基板に電気的に接続されている端子部を備え、
前記端子部は、前記フレームに搭載されている、請求項１に記載の充電器。
【請求項３】
前記ＬＥＤ基板は、前記フレームの第１の端部側に取付けられており、
前記充電器は、さらに、
前記フレームの前記第１の端部側とは反対側の第２の端部側に設けられており、前記本体ケース内に侵入する水を受ける水受部を備える、請求項１または２に記載の充電器。
【請求項４】
前記フレームは、第１の端部に設けられている第１脚部と、前記第１の端部とは反対側の第２の端部に設けられている第２脚部と、前記第１脚部及び前記第２脚部を接続する中央部と、を備え、
前記フレームは、前記第１脚部及び前記第２脚部を介して、前記第１ケースに取付けられており、
前記フレームが前記第１ケースに取付けられている状態において、前記中央部は、前記第１ケースから離間している、請求項１〜３のいずれか一項に記載の充電器。
【請求項５】
前記ＬＥＤ基板のＬＥＤ素子が設けられている面と、前記第２ケースの前記表示部が設けられている面と、が略平行である、請求項１〜４のいずれか一項に記載の充電器。
【請求項６】
前記ＬＥＤ基板には、第１ＬＥＤ素子と、前記第１ＬＥＤ素子から離間して配置されている第２ＬＥＤ素子と、が設けられており、
前記第１ＬＥＤ素子と前記第２ＬＥＤ素子の間には、隔壁部が設けられている、請求項１〜５のいずれか一項に記載の充電器。
【請求項７】
前記隔壁部は、前記第２ケースから前記ＬＥＤ基板に向かって延びている、請求項６に記載の充電器。
【発明の詳細な説明】
【技術分野】
【０００１】
本明細書で開示する技術は、バッテリパックを充電する充電器に関する。
【背景技術】
【０００２】
特許文献１に、バッテリパックを充電する充電器が開示されている。この充電器は、第１ケース及び第２ケースを有する本体ケースと、第１ケースに取付けられているメイン基板と、第１ケース及び第２ケースによって挟持されており、メイン基板に電気的に接続されているＬＥＤ基板と、第１ケース及び第２ケースによって挟持されている表示部と、を備える。
【先行技術文献】
【特許文献】
【０００３】
【特許文献１】特開２００３−２２４９３３号公報
【発明の概要】
【発明が解決しようとする課題】
【０００４】
充電器において、表示部の視認性を向上させるために、表示部を第２ケースに設けたい場合がある。この場合、ＬＥＤ基板を第２ケースに取り付ける方法が考えられる。しかしながら、メイン基板とＬＥＤ基板とが異なるケースに取り付けられている場合、第１ケースと第２ケースを連結させる際に、メイン基板とＬＥＤ基板とを電気的に接続するハーネスを取り回す必要があり、煩わしい。
【０００５】
本明細書では、充電器の表示部の視認性を容易に向上させることができる技術を提供する。
【課題を解決するための手段】
【０００６】
本明細書は、バッテリパックを充電する充電器を開示する。充電器は、第１ケース及び第２ケースを有する本体ケースと、前記第１ケースに取付けられているメイン基板と、
前記第１ケースに取付けられているフレームと、前記フレームに取付けられており、前記メイン基板に電気的に接続されているＬＥＤ基板と、前記第２ケースに設けられており、前記ＬＥＤ基板に対応する位置に設けられている表示部と、を備えてもよい。
【０００７】
上記の構成によれば、メイン基板が第１のケースに取付けられており、ＬＥＤ基板がフレームを介して第１ケースに取付けられている。このため、第１ケースと第２ケースとが連結されている状態において、表示部に対応する位置にＬＥＤ基板が位置するようにフレームを形成することで、表示部に対応する位置にＬＥＤ基板を位置させることができる。従って、充電器における表示部の視認性を向上させることができる。また、上記の構成では、メイン基板とＬＥＤ基板とが同じ第１ケースに取付けられている。この場合、第１ケースと第２ケースを連結させる際に、メイン基板とＬＥＤ基板とを電気的に接続するハーネスを取り回す必要がない。従って、第１ケースと第２ケースを連結させる際の作業性が向上する。この結果、充電器の表示部の視認性を容易に向上させることができる。
【図面の簡単な説明】
【０００８】
【図１】実施例に係る充電器１０の斜視図。
【図２】実施例において、バッテリパック３００が取り付けられている状態の充電器１０の斜視図。
【図３】実施例において、カバー３０が取り外されている状態の充電器１０の斜視図。
【図４】実施例の充電器１０の後面図。
【図５】実施例に係る上部ケース２２を下方から見た斜視図。
【図６】図４のＶＩ−ＶＩ線に沿った断面図。
【図７】実施例において、上部ケース２２が取り外されている状態の充電器１０を前側から見た斜視図。
【図８】実施例において、上部ケース２２が取り外されている状態の充電器１０を後側から見た斜視図。
【図９】実施例において、上部ケース２２及びベース部材７４が取り外されている状態の充電器１０の上面図。
【図１０】実施例に係る充電器１０の下面図。
【図１１】図１のＸＩ−ＸＩ線に沿った断面図であり、電気コード９０近傍の拡大図。
【図１２】実施例において、フレーム５０ａ、５０ｂが取り外されている状態の下部ケース２４の上面図。
【図１３】充電器１０の回路図。
【発明を実施するための形態】
【０００９】
１つまたはそれ以上の実施形態において、充電器は、さらに、メイン基板に電気的に接続されている端子部を備え、端子部は、フレームに搭載されていてもよい。
【００１０】
上記の構成によれば、メイン基板と干渉することなく端子部を配置することができ、第１ケースの面積を小型化することができる。
【００１１】
１つまたはそれ以上の実施形態において、ＬＥＤ基板は、フレームの第１の端部側に取付けられており、充電器は、さらに、フレームの第１の端部側とは反対側の第２の端部側に設けられており、本体ケース内に侵入する水を受ける水受部を備えてもよい。
【００１２】
上記の構成によれば、本体ケース内に侵入した水は、ＬＥＤ基板が設けられている第１の端部側とは反対側の第２端部側に導かれる。このため、本体ケース内に水が浸入した場合に、ＬＥＤ基板に水が接触することを抑制することができる。
【００１３】
１つまたはそれ以上の実施形態において、フレームは、第１の端部に設けられている第１脚部と、第１の端部とは反対側の第２の端部に設けられている第２脚部と、第１脚部及び第２脚部を接続する中央部と、を備え、フレームは、第１脚部及び第２脚部を介して、第１ケースに取付けられており、フレームが第１ケースに取付けられている状態において、中央部は、第１ケースから離間していてもよい。
【００１４】
上記の構成によれば、フレームの中央部がメイン基板と干渉することを回避することができ、第１ケースの面積を小型化することができる。
【００１５】
１つまたはそれ以上の実施形態において、ＬＥＤ基板のＬＥＤ素子が設けられている面と、第２ケースの表示部が設けられている面と、が略平行であってもよい。
【００１６】
ＬＥＤ素子は、ＬＥＤ基板の表面に対して略垂直に設けられる。上記の構成によれば、ＬＥＤ素子と第２ケースの表示部が設けられている面とが略垂直になる。この場合、ＬＥＤ素子から発光される光が、表示部に届きやすくなる。従って、表示部の視認性を向上させることができる。
【００１７】
１つまたはそれ以上の実施形態において、ＬＥＤ基板には、第１ＬＥＤ素子と、第１ＬＥＤ素子から離間して配置されている第２ＬＥＤ素子と、が設けられており、第１ＬＥＤ素子と第２ＬＥＤ素子の間には、隔壁部が設けられていてもよい。
【００１８】
上記の構成によれば、第１ＬＥＤ素子から発光される光の光路と第２ＬＥＤ素子から発光される光の光路が交差することを抑制することができる。従って、各ＬＥＤ素子が発光している状態と発光していない状態を明確に区別することができる。
【００１９】
１つまたはそれ以上の実施形態において、隔壁部は、第２ケースからＬＥＤ基板に向かって延びていてもよい。
【００２０】
上記の構成によれば、第１ＬＥＤ素子から発光されて表示部に到達する光の光路と第２ＬＥＤ素子から発光されて表示部に到達する光の光路が交差することを抑制することができる。従って、表示部を介して、各ＬＥＤ素子が発光している状態と発光していない状態を明確に区別することができる。
【００２１】
（実施例）
図面を参照して、実施例の充電器１０を説明する。図１、２に示すように、充電器１０は、バッテリパック３００を充電するための電気機器である。バッテリパック３００は、電動工具や電動作業機などの電気機器（図示省略）に電力を供給するための電源であって、電気機器に着脱可能に構成されている。本実施例の充電器１０は、電気機器から取り外された状態のバッテリパック３００を充電するように構成されている。
【００２２】
図１〜図１２に示すように、充電器１０は、本体ケース２０と、本体ケース２０内に収容されるフレーム５０ａ、５０ｂ（図７参照）と、本体ケース２０内に収容されるメイン基板１００と、を備える。メイン基板１００には、充電回路が設けられている。
【００２３】
図１に示すように、本体ケース２０は、上部ケース２２と下部ケース２４とに分割されている。上部ケース２２と下部ケース２４は、ボルト等の締結具によって互いに固定されている。なお、以下では、上部ケース２２と下部ケース２４が連結されている方向を上下方向といい、本体ケース２０を上方から平面視した時の、本体ケース２０内のフレーム５０ａ、５０ｂ（図７参照）の長手方向を前後方向といい、上下方向及び前後方向に直交する方向を左右方向という。図４に示すように、本体ケース２０は、ハンドル２６を備える。ハンドル２６は、円筒形状である。ユーザは、ハンドル２６を把持して、充電器１０を持ち運びすることができる。なお、上部ケース２２及び下部ケース２４において、平板部の板厚と、平板部を接続する湾曲形状の角部の板厚と、は異なる、本実施例では、角部の板厚が、平板部の板厚よりも厚くなるように形成されている。例えば、角部の板厚は４．０ｍｍであり、平板部の板厚は３．５ｍｍである。
【００２４】
図１〜３に示すように、上部ケース２２の上面２２ａには、２個のバッテリインターフェース２８が設けられている。２個のバッテリインターフェース２８は、左右方向に並んで配置されている。バッテリインターフェース２８は、図１の方向Ａ、Ｂに沿って、バッテリパック３００をスライド可能に受け入れる。方向Ａは、バッテリパック３００をバッテリインターフェース２８に取り付ける方向を示し、方向Ｂは、バッテリインターフェース２８からバッテリパック３００を取り外す方向を示す。上部ケース２２の上面２２ａは、前後方向に対して、前側が後側より下方に位置するように所定角度（本実施例では、１８°）だけ傾斜している。このため、上面２２ａに沿った方向である方向Ａ、Ｂも、前後方向に対して、所定角度だけ傾斜している。充電器１０は、下部ケース２４の下面２４ａ（図１０参照）側を地面に載置した状態で利用することができる。バッテリパック３００をバッテリインターフェース２８に取り付ける方向Ａが所定角度だけ傾いているために、充電器１０が地面に載置されている状態において、バッテリパック３００の自重を利用して、バッテリパック３００をバッテリインターフェース２８に取り付けることができる。このため、方向Ａが前後方向と平行である場合と比較して、バッテリパック３００をバッテリインターフェース２８に取り付け易くすることができる。
【００２５】
図１〜図３に示すように、バッテリインターフェース２８は、カバー３０と、カバー装着部３２と、スプリング３４と、端子部３６と、を備える。なお、図２において、右側のバッテリインターフェース２８にはバッテリパック３００が取り付けられていないが、右側のバッテリインターフェース２８のカバー３０については、バッテリパック３００が取り付けられた時の状態を示している。また、図３は、カバー３０が取り外されている状態の充電器１０の斜視図である。カバー３０は、上部ケース２２の上面２２ａを移動可能に、上面２２ａのカバー装着部３２に取付けられている。カバー３０は、端子部３６を覆っている位置（図１参照）と、端子部３６の一部を覆っていない位置（図２参照）と、の間を移動可能である。図３に示すように、カバー装着部３２の左右方向の両端部には、スプリング３４が配置されている。スプリング３４は、カバー３０を上部ケース２２に対して、方向Ｂ（図１参照）に付勢する。バッテリパック３００がバッテリインターフェース２８に取り付けられると、カバー３０がバッテリパック３００によって方向Ａに押し下げられ、スプリング３４は、方向Ａに押圧される（図２参照）。そして、バッテリインターフェース２８からバッテリパック３００が取り外されると、スプリング３４によってカバー３０が方向Ｂの方向に押し上げられ、図１の状態になる。スプリング３４の中央部３４ａのピッチは、中央部３４ａ以外の領域のピッチよりも小さい。このような構成によると、バッテリパック３００をバッテリインターフェース２８に挿入する際に、スプリング３４に発生する座屈を抑制することができる。このため、バッテリパック３００をバッテリインターフェース２８に挿入することによって、スプリング３４が変形及び破損することを抑制することができる。また、バッテリパック３００をバッテリインターフェース２８に挿入する際の座屈が抑制されるために、バッテリパック３００をバッテリインターフェース２８に挿入し易くすることができる。
【００２６】
端子部３６は、上部ケース２２の上面２２ａの開口２２ｃ（図５参照）を通って、上部ケース２２の外部に露出している。端子部３６は、複数の端子で構成されている。複数の端子は、一対の充電出力端子（プラス端子、マイナス端子）、充電許可端子（ＥＳ端子）、バッテリ認識端子（ＤＴ端子）、通信端子（ＴＸ端子）、等であり、後述する端子基板７６（図９参照）に接続されている。
【００２７】
図４に示すように、上部ケース２２の後面２２ｂには、表示部３８が設けられている。表示部３８には、３個の発光部３８ａ〜３８ｃが設けられている。図６に示すように、後面２２ｂの表示部３８が設けられている面は、下側が上側より後側に位置するように傾斜している。なお、図６では、図示の明瞭化のために、メイン基板１００及びメイン基板１００上に設けられている電子部品のハッチングが省略されている。図５、図６に示すように、上部ケース２２において、発光部３８ａ〜３８ｃの内側には、導光レンズ４０ａ〜４０ｃが設けられている。導光レンズ４０ａ〜４０ｃは、上部ケース２２の内側に延出している。各導光レンズ４０ａ〜４０ｃの間には、リブ４２が設けられている。上部ケース２２と下部ケース２４が連結されている状態において、各導光レンズ４０ａ〜４０ｃと対向する位置に、後述するＬＥＤ素子７２ａ〜７２ｃが配置される。具体的には、導光レンズ４０ａに対向する位置には赤色のＬＥＤ素子７２ａが配置され、導光レンズ４０ｂに対向する位置には緑色のＬＥＤ素子７２ｂが配置され、導光レンズ４０ｃに対向する位置には黄色のＬＥＤ素子７２ｃが配置される。このため、発光部３８ａ、３８ｂ、３８ｃは、それぞれ、赤色、緑色、黄色に発光する。発光部３８ａ、３８ｂの点灯、点滅、消灯の組み合わせによって、充電器１０の「充電中」、「実用充電完了」等の情報が示される。図４に示すように、発光部３８ａ、３８ｂの点灯、点滅、消灯の組み合わせに対応する充電器１０の充電情報３８ｄが、発光部３８ａ〜３８ｃの下方に記述されている。充電情報３８ｄにおいて、塗りつぶされている丸の表示が点灯を示し、塗りつぶされている丸の周りに複数の線が記載されている表示が点滅を示し、白抜きの丸の表示が消灯を示す。例えば、発光部３８ａが点灯しており、発光部３８ｂが消灯している場合は、充電器１０がバッテリパック３００を「充電中」であることを意味する。発光部３８ｃは、後述するファン７８、８０（図７参照）に異常が発生していることを知らせるための発光部である。発光部３８ｃは、ファン７８、８０に異常が発生している場合に、黄色に点灯する。
【００２８】
図４に示すように、上部ケース２２の後面２２ｂには、直流電力を出力するＵＳＢポート４４が設けられている。ＵＳＢポート４４は、スマートフォンといった電子機器に接続可能であり、接続された電子機器に充電電力や動作電力を供給する。
【００２９】
続いて、図５〜図８を参照して、本体ケース２０内に収容される２個のフレーム５０ａ、５０ｂについて説明する。図７は、上部ケース２２が取り外されている状態の充電器１０を前方から見た斜視図であり、図８は、図７の状態の充電器１０を後方から見た斜視図である。
【００３０】
図７に示すように、２個のフレーム５０ａ、５０ｂは、ボルト等の締結具によって下部ケース２４に取付けられている。２個のフレーム５０ａ、５０ｂは、例えば樹脂製の部材である。２個のフレーム５０ａ、５０ｂは、左右方向に並んで配置されている。フレーム５０ａは、前脚部５２と、後脚部５４と、中央脚部５６（図６参照）と、中央部５８と、を備える。前脚部５２は、ボルトなどの締結具を介して、下部ケース２４の前端部側に取付けられており、後脚部５４は、ボルトなどの締結具を介して、下部ケース２４の後端部側に取付けられている。中央部５８は、前脚部５２と後脚部５４とを接続する。図６に示すように、中央脚部５６は、フレーム５０ａの左右方向及び前後方向の中央近傍に設けられており、下部ケース２４から上方に突出している突出部２５に支持されている（図６参照）。
【００３１】
図６に示すように、後脚部５４は、傾斜面５４ａを備える。傾斜面５４ａは、上部ケース２２及び下部ケース２４が連結されている状態において、上部ケース２２の後面２２ｂに設けられている表示部３８と平行になる角度に傾斜している。後脚部５４の傾斜面５４ａには、ボルトなどの締結具を介して、ＬＥＤ基板７０が取付けられている。即ち、ＬＥＤ基板７０は、フレーム５０ａ（詳細には後脚部５４）を介して、下部ケース２４に取付けられており、表示部３８と略平行である。なお、ここで、略平行とは、ＬＥＤ基板７０と表示部３８との間の角度のズレが約５°の範囲内にあることを意味する。フレーム５０ａは、下部ケース２４にしっかりと固定されている。また、ＬＥＤ基板７０はフレーム５０ａにしっかりと固定されている。このため、上部ケース２２と下部ケース２４を連結させた後においても、ＬＥＤ基板７０と表示部３８とが略平行である状態が保証される。図８に示すように、ＬＥＤ基板７０には、３個のＬＥＤ素子７２ａ〜７２ｃが搭載されている。ＬＥＤ素子７２ａ〜７２ｃは、それぞれ、赤色のＬＥＤ、緑色のＬＥＤ、黄色のＬＥＤである。ＬＥＤ素子７２ａ〜７２ｃは、ＬＥＤ基板７０に対して垂直に搭載されている。ＬＥＤ素子７２ａ〜７２ｃは、それぞれ、上部ケース２２の導光レンズ４０ａ〜４０ｃに対向する。
【００３２】
図７に示すように、中央部５８は、端子搭載部６０と、ファン搭載部６２と、水受部６４と、で構成されている。端子搭載部６０には、端子部３６、ベース部材７４、及び、端子基板７６が搭載されている。端子部３６は、端子基板７６に接続されており、ベース部材７４よりも上方に突出している。ベース部材７４は、フレーム５０ａに取付けられている。ベース部材７４の左右両端には、下方に延びる第１下方延伸部７４ａが設けられており、２個の第１下方延伸部７４ａの間には、下方に延びる第２下方延伸部７４ｂが設けられている（図６参照）。第１下方延伸部７４ａが端子搭載部６０の第１受容部６０ａに挿入され、第２下方延伸部７４ｂが端子搭載部６０の第２受容部６０ｂに挿入される（図６参照）ことによって、ベース部材７４がフレーム５０ａに取付けられる。図７に示すように、ベース部材７４の上面において、端子部３６の複数の端子の間には、リブ７４ｃが設けられている。リブ７４ｃには、前後方向に延びる３個の凹部７４ｄが設けられている。リブ７４ｃによって、端子部３６の複数の端子間の絶縁性が向上する。
【００３３】
端子基板７６は、メイン基板１００に電気的に接続されている。端子基板７６は、ベース部材７４の下方に配置されている。端子基板７６は、ベース部材７４によって支持されている。図９に示すように、端子基板７６において、端子部３６の複数の端子の間には、スリット７６ａが設けられている。なお、図９は、上部ケース２２、ベース部材７４が取り外されている状態の充電器１０の上面図である。スリット７６ａによって、端子部３６の複数の端子間の絶縁性が向上する。
【００３４】
図７に示すように、ファン搭載部６２は、端子搭載部６０よりも前側に設けられている。ファン搭載部６２には、充電中のバッテリパック３００に冷却風を流すためのファン７８が搭載されている。ファン７８が駆動されると、バッテリパック３００からの空気を吸い込むことで、バッテリパック３００に冷却風が流れる。
【００３５】
水受部６４は、ファン搭載部６２よりも前側に設けられている。水受部６４は、本体ケース２０内に侵入した水を受容するとともに、本体ケース２０内に侵入した水を外部に排水するための経路である。図６に示すように、水受部６４は、傾斜部６４ａと、開口６４ｂと、を備える。傾斜部６４ａは、前後方向に対して、前方側が下方に位置するように傾斜している。開口６４ｂは、本体ケース２０の外側に連通している。従って、本体ケース２０内に侵入した水は、傾斜部６４ａによって開口６４ｂに導かれ、開口６４ｂから外部に排水される。
【００３６】
フレーム５０ｂは、フレーム５０ａと左右対称の構造を有する。図７に示すように、フレーム５０ｂの下方には、充電回路を冷却するためのファン８０が設けられている。ファン８０の構造は、ファン７８と同様である。なお、変形例では、ファン７８とファン８０とは異なっていてもよい。ファン８０は、フレーム５０ｂと下部ケース２４によって挟持されている。具体的には、ファン８０を下部ケース２４上に載置した後に、フレーム５０ｂを下部ケース２４に固定することによって、ファン８０がフレーム５０ｂと下部ケース２４によって挟持される。
【００３７】
図１０に示すように、下部ケース２４の下面２４ａには、複数の壁取付部２４ｂ及び複数の壁取付穴２４ｃが設けられている。壁取付部２４ｂを、壁に固定されたネジ又はフックに係合させることで、充電器１０を壁に取付けることができる。そして、充電器１０を壁に取付けた後に、ネジを壁取付穴２４ｃに螺合させることで、充電器１０を壁にしっかりと固定することができる。これによって、充電器１０を壁に掛けた状態で使用することができる。
【００３８】
図１１に示すように、電気コード９０は、コード部９２と、コード部９２の外側の固定部９４と、を備える。固定部９４は、角柱形状を有しており、２個の溝部９４ａ、９４ｂを有する。溝部９４ａ、９４ｂ内に、上部ケース２２及び下部ケース２４が嵌め込まれる。即ち、溝部９４ａ、９４ｂの２箇所で、固定部９４が挟持される。これにより、本体ケース２０内において、電気コード９０が撓むことが抑制される。また、上部ケース２２の溝部９４ａ、９４ｂに嵌り込む部分の下端には、突起部Ｐ１が設けられている。また、下部ケース２４の溝部９４ａ、９４ｂに嵌り込む部分の上端には、突起部Ｐ２が設けられている。溝部９４ａ、９４ｂ内に、上部ケース２２及び下部ケース２４が嵌め込まれると、固定部９４が突起部Ｐ１、Ｐ２に対応する形状に変形する。これにより、電気コード９０が充電器１０から抜けることが抑制される。
【００３９】
続いて、図１２、図１３を参照して、下部ケース２４のメイン基板１００上に搭載されている充電回路について説明する。図１２は、フレーム５０ａ、５０ｂ及びファン８０が取り外されている状態の下部ケース２４の上面図である。
【００４０】
充電回路は、メイン基板１００上に設けられた複数の電子部品を有する。以下、充電回路の構成について詳細に説明するが、充電回路の構成を限定するものではない。充電回路の構成は、適宜変更することができる。
【００４１】
図１３に示すように、充電回路は、一次側と二次側とが絶縁した構成になっている。充電回路の一次側には、整流回路１１０、ＰＦＣ（Power Factor Correction）回路１１２、平滑回路１１４が設けられている。また、一次側と二次側に跨って、メインコンバータ１１６、フォトカプラ１１８、１２０、及び、サブコンバータ１２２が設けられている。
【００４２】
整流回路１１０は、電気コード９０を通じて外部から供給される交流電力を直流電力に変換する。ＰＦＣ回路１１２は、整流回路１１０で整流された直流電力の力率を改善する。平滑回路１１４は、ＰＦＣ回路１１２で力率が改善された電力を平滑化する。平滑回路１１４は、メインコンバータ１１６及びサブコンバータ１２２に接続されている。メインコンバータ１１６は、平滑回路１１４から入力された直流電力の電圧を、バッテリパック３００の充電に適した電圧に降圧する。サブコンバータ１２２は、平滑回路１１４から入力された直流電力の電圧を、ファン７８、８０を駆動させるための電圧（１２Ｖ）に降圧する。
【００４３】
フォトカプラ１１８は、定電流制御及び定電圧制御のためのフィードバック用のフォトカプラである。フォトカプラ１２０は、ＰＦＣ回路１１２及びメインコンバータ１１６の動作を制御するためのフォトカプラである。
【００４４】
充電回路の二次側には、マイコン２００、メインコンバータ１１６に接続されている整流回路１３０、平滑回路１３２、及び、スイッチング素子ＳＷ１が設けられている。スイッチング素子ＳＷ１は、マイコン２００及び端子部３６のプラス端子に接続されている。マイコン２００は、バッテリパック３００を充電する場合に、スイッチング素子ＳＷ１をオン状態に制御する。
【００４５】
また、充電回路の二次側には、ＣＶ設定回路１４０、ＣＶ回路１４２が設けられている。ＣＶ設定回路１４０は、マイコン２００から入力される電圧（Ｖ−ＳＥＴ）に応じた基準電圧をＣＶ回路１４２に出力する。ＣＶ回路１４２は、メインコンバータ１１６から出力される直流電力の電圧を調整するための回路である。ＣＶ回路１４２は、平滑回路１３２から入力される電圧と、ＣＶ設定回路１４０から入力される基準電圧と、を比較する。そして、ＣＶ回路１４２は、平滑回路１３２から入力される電圧がＣＶ設定回路１４０から入力される基準電圧よりも大きい場合に、フォトカプラ１１８をＯＮにするための信号を出力する。
【００４６】
また、充電回路の二次側には、スイッチング素子ＳＷ２が設けられている。スイッチング素子ＳＷ２は、フォトカプラ１２０とマイコン２００の間に設けられている。マイコン２００は、スイッチング素子ＳＷ２を制御することによって、ＰＦＣ回路１１２及びメインコンバータ１１６の駆動・停止を制御する。
【００４７】
また、充電回路の二次側には、サブコンバータ１２２に接続されている整流回路１５０、平滑回路１５２、及び、レギュレータ１５４が設けられている。サブコンバータ１２２、整流回路１５０、平滑回路１５２によって、電圧１２Ｖの直流電力が生成される。また、レギュレータ１５４は、平滑回路１５２から入力される直流電力の電圧を５Ｖに変換する。従って、サブコンバータ１２２、整流回路１５０、平滑回路１５２、レギュレータ１５４によって、電圧５Ｖの直流電力が生成される。
【００４８】
また、充電回路の二次側には、電流制限回路１６０が設けられている。電流制限回路１６０は、ファン７８、８０の駆動に利用される１２Ｖ電源と端子部３６のＶＣＣ端子との間に設けられている。電流制限回路１６０は、閾値を超える電流が、端子部３６のＶＣＣ端子を介してバッテリパック３００に流れることを防止する。
【００４９】
また、充電回路の二次側には、シャント抵抗１７０、アンプ回路１７２、及び、Ｆ／Ｂ回路１７４が設けられている。シャント抵抗１７０は、アンプ回路１７２を介して、マイコン２００に接続されている。マイコン２００は、シャント抵抗１７０に生じる電圧に基づいて、バッテリパック３００の放電電流を検出する。Ｆ／Ｂ回路１７４の入力部は、アンプ回路１７２及びマイコン２００に接続されており、出力部は、フォトカプラ１１８に接続されている。Ｆ／Ｂ回路１７４は、マイコン２００から入力される基準電流と、アンプ回路１７２から入力される電流と、を比較する。そして、Ｆ／Ｂ回路１７４は、アンプ回路１７２から入力される電流がマイコン２００から入力される基準電流よりも大きい場合に、フォトカプラ１１８をＯＮにするための信号を出力する。
【００５０】
また、充電回路の二次側には、ＬＥＤ素子７２ａ〜７２ｃ、端子部３６のＥＳ端子、端子部３６のＤＴ端子、及び、端子部３６のＴＸ端子が設けられている。なお、上述のように、ＬＥＤ素子７２ａ〜７２ｃはＬＥＤ基板７０（図７参照）に設けられており、端子部３６のＥＳ端子、端子部３６のＤＴ端子、及び、端子部３６のＴＸ端子は、端子基板７６（図７参照）に設けられている。ＬＥＤ素子７２ａ〜７２ｃ、端子部３６のＥＳ端子、端子部３６のＤＴ端子、及び、端子部３６のＴＸ端子は、マイコン２００に接続されている。
【００５１】
本実施例の充電器１０では、図７に示すように、メイン基板１００が下部ケース２４に取付けられており、ＬＥＤ基板７０がフレーム５０ａを介して下部ケース２４に取付けられている。このため、下部ケース２４と上部ケース２２とが連結されている状態において、上部ケース２２の表示部３８に対応する位置にＬＥＤ基板７０が位置するようにフレーム５０ａを形成することで、表示部３８に対応する位置にＬＥＤ基板７０を位置させることができる。従って、充電器１０における表示部３８の視認性を向上させることができる。また、本実施例の充電器１０では、メイン基板１００とＬＥＤ基板７０とが同じ下部ケース２４に取付けられている。この場合、下部ケース２４と上部ケース２２とを連結させる際に、メイン基板１００とＬＥＤ基板７０とを電気的に接続するハーネスを取り回す必要がない。従って、下部ケース２４と上部ケース２２を連結させる際の作業性が向上する。この結果、充電器１０の表示部３８の視認性を容易に向上させることができる。
【００５２】
本実施例の充電器１０では、図７に示すように、メイン基板１００に電気的に接続されている端子部３６が、フレーム５０ａに搭載されている。このような構成によると、メイン基板１００と干渉することなく端子部３６を配置することができ、下部ケース２４の面積を小型化することができる
【００５３】
本実施例の充電器１０では、図６に示すように、ＬＥＤ基板７０は、フレーム５０ａの後端部側に取付けられており、本体ケース２０内に侵入する水を受ける水受部６４は、フレーム５０ａの前端部側に設けられている。このような構成によると、本体ケース２０内に侵入した水は、ＬＥＤ基板７０が設けられている後端部側とは反対側の前端部側に導かれる。このため、本体ケース２０内に水が浸入した場合に、ＬＥＤ基板７０に水が接触することを抑制することができる。
【００５４】
本実施例の充電器１０では、図７に示すように、フレーム５０ａは、後端部に設けられている後脚部５４と、前端部に設けられている前脚部５２と、後脚部及び前脚部を接続する中央部５８と、を備える。そして、図６に示すように、フレーム５０ａは、後脚部５４及び前脚部５２を介して、下部ケース２４に取付けられており、フレーム５０ａが下部ケース２４に取付けられている状態において、中央部５８は、下部ケース２４から離間している。このような構成によると、フレーム５０ａの中央部５８がメイン基板１００と干渉することを回避することができ、下部ケース２４の面積を小型化することができる。
【００５５】
本実施例の充電器１０では、図６に示すように、ＬＥＤ基板７０のＬＥＤ素子７２ａ〜７２ｃが設けられている面と、上部ケース２２の表示部３８が設けられている面と、が略平行である。ＬＥＤ素子７２ａ〜７２ｃは、ＬＥＤ基板７０の表面に対して略垂直に設けられる。上記の構成によると、ＬＥＤ素子７２ａ〜７２ｃと上部ケース２２の表示部３８が設けられている面とが略垂直になる。この場合、ＬＥＤ素子７２ａ〜７２ｃから発光される光が、表示部３８に届きやすくなる。従って、表示部３８の視認性を向上させることができる。
【００５６】
本実施例の充電器１０では、図８に示すように、ＬＥＤ基板７０には、ＬＥＤ素子７２ａと、ＬＥＤ素子７２ａから離間して配置されているＬＥＤ素子７２ｂと、が設けられている。そして、ＬＥＤ素子７２ａとＬＥＤ素子７２ｂの間には、リブ４２が設けられている。このような構成によると、ＬＥＤ素子７２ａから発光される光の光路とＬＥＤ素子７２ｂから発光される光の光路が交差することを抑制することができる。従って、各ＬＥＤ素子７２が発光している状態と発光していない状態を明確に区別することができる。
【００５７】
本実施例の充電器１０では、図６に示すように、リブ４２は、上部ケース２２からＬＥＤ基板７０に向かって延びている。このような構成によると、ＬＥＤ素子７２ａから発光されて表示部３８に到達する光の光路とＬＥＤ素子７２ｂから発光されて表示部３８に到達する光の光路が交差することを抑制することができる。従って、表示部３８を介して、各ＬＥＤ素子７２が発光している状態と発光していない状態を明確に区別することができる。
【００５８】
（対応関係）
上部ケース２２、下部ケース２４が、それぞれ、「第１ケース」、「第２ケース」の一例である。後脚部、前脚部が、それぞれ、「第１脚部」、「第２脚部」の一例である。フレーム５０ａの後端部、前端部が、それぞれ、「フレームの第１の端部」、「フレームの第２の端部」の一例である。
【００５９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００６０】
（変形例１）メイン基板１００及びフレーム５０ａ、５０ｂが上部ケース２２に取付けられていてもよい。本変形例では、ＬＥＤ基板７０は、フレーム５０ａ、５０ｂを介して、上部ケース２２に取付けられる。即ち、メイン基板１００及びＬＥＤ基板７０が、上部ケース２２に取付けられる。
【００６１】
（変形例２）端子部３６が、フレーム５０ａ、５０ｂ以外の箇所、例えば、メイン基板１００等に設けられていてもよい。
【００６２】
（変形例３）ＬＥＤ基板７０及び水受部６４が、フレーム５０ａの同じ端部側に設けられていてもよい。例えば、ＬＥＤ基板７０及び水受部６４が、フレーム５０ａの前端部側に設けられていてもよい。なお、本変形例では、水受部６４を通過する水が、ＬＥＤ基板７０に接触することがないようにするとよい。
【００６３】
（変形例４）ＬＥＤ基板７０のＬＥＤ素子７２ａ〜７２ｃが設けられている面と、上部ケース２２の表示部３８が設けられている面と、が略平行でなくてもよい。一般的に言うと、ＬＥＤ基板７０のＬＥＤ素子７２ａ〜７２ｃが設けられている面と上部ケース２２の表示部３８が設けられている面は、ＬＥＤ素子７２ａ〜７２ｃから発光される光が、表示部３８に届くように構成されていればよい。
【００６４】
（変形例５）各ＬＥＤ素子７２ａ〜７２ｃの間に、リブ４２が設けられていなくてもよい。また、別の変形例では、リブ４２は、ＬＥＤ基板７０から表示部３８に向かって延びていてもよい。
【００６５】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６６】
１０：充電器、２０：本体ケース、２２：上部ケース、２４：下部ケース、２５：突出部、２６：ハンドル、２８：バッテリインターフェース、３０：カバー、３２：カバー装着部、３４：スプリング、３４ａ：中央部、３６：端子部、３８：表示部、３８ａ〜３８ｃ：発光部、３８ｄ：充電情報、４０ａ〜４０ｃ：導光レンズ、４２：リブ、４４：ＵＳＢポート、５０ａ、５０ｂ：フレーム、５２：前脚部、５４：後脚部、５４ａ：傾斜面、５６：中央脚部、５８：中央部、６０：端子搭載部、６０ａ：第１受容部、６０ｂ：第２受容部、６２：ファン搭載部、６４：水受部、６４ａ：傾斜部、６４ｂ：開口、７０：ＬＥＤ基板、７２ａ〜７２ｃ：ＬＥＤ素子、７４：ベース部材、７４ａ：第１下方延伸部、７４ｂ：第２下方延伸部、７４ｃ：リブ、７４ｄ：凹部、７６：端子基板、７６ａ：スリット、７８、８０：ファン、９０：電気コード、９２：コード部、９４：固定部、９４ａ、９４ｂ：溝部、１００：メイン基板、１１０：整流回路、１１２：ＰＦＣ回路、１１４：平滑回路、１１６：メインコンバータ、１１８、１２０：フォトカプラ、１２２：サブコンバータ、１３０：整流回路、１３２：平滑回路、１４０：ＣＶ設定回路、１４２：ＣＶ回路、１５０：整流回路、１５２：平滑回路、１５４：レギュレータ、１６０：電流制限回路、１７０：シャント抵抗、１７２：アンプ回路、１７４：Ｆ／Ｂ回路、２００：マイコン、３００：バッテリパック、ＳＷ１、ＳＷ２：スイッチング素子
【図１】
2020089221.tif 000003
【図２】
2020089221.tif 000004
【図３】
2020089221.tif 000005
【図４】
2020089221.tif 000006
【図５】
2020089221.tif 000007
【図６】
2020089221.tif 000008
【図７】
2020089221.tif 000009
【図８】
2020089221.tif 000010
【図９】
2020089221.tif 000011
【図１０】
2020089221.tif 000012
【図１１】
2020089221.tif 000013
【図１２】
2020089221.tif 000014
【図１３】
2020089221.tif 000015